【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
支持体と、感光層と、をこの順に有する電子写真感光体において、
該感光層が、式（１）で示される化合物を結晶内に含有するフタロシアニン結晶を含有することを特徴とする電子写真感光体。
【化１】
2014134773.tif 000001
（式（１）中、Ｒ１〜Ｒ４は、水素原子、ホルミル基、アセチル基、アルケニル基、置換もしくは無置換のアルキル基、置換もしくは無置換のアリール基、または、置換もしくは無置換の複素環基を示す。但し、Ｒ１とＲ２が共に水素原子となることはなく、置換のアリール基の置換基がアセチル基である場合およびベンゾイル基である場合を除く。）
【請求項２】
前記式（１）において、前記Ｒ１〜Ｒ４が、水素原子（但し、Ｒ１とＲ２が共に水素原子となることはない。）、ホルミル基、アルケニル基、置換もしくは無置換のアルキル基、置換もしくは無置換のアリール基、または置換もしくは無置換の複素環基であり、
該置換のアルキル基の置換基は、アルコキシ基、モルホリノアルコキシ基、ジアルキルアミノ基、アルコキシカルボニル基、置換もしくは無置換のアリール基、アリールオキシ基、複素環基、ハロゲン原子、シアノ基、またはモルホリノ基であり、
該置換のアリール基の置換基は、置換もしくは無置換のアルキル基、アルコキシ基、ジアルキルアミノ基、アルコキシカルボニル基、ハロゲン原子、ヒドロキシ基、ニトロ基、シアノ基、ホルミル基、またはモルホリノ基であり、
該置換の複素環基の置換基は、アルキル基、アルコキシ基、ジアルキルアミノ基、アルコキシカルボニル基、ハロゲン原子、ヒドロキシ基、ニトロ基、シアノ基、ホルミル基、またはモルホリノ基である請求項１に記載の電子写真感光体。
【請求項３】
前記式（１）において、前記Ｒ３、Ｒ４が、水素原子である請求項１または２に記載の電子写真感光体。
【請求項４】
前記式（１）において、前記Ｒ１〜Ｒ４の少なくとも１つが、前記置換もしくは無置換のアリール基、または前記置換もしくは無置換の複素環基である請求項２に記載の電子写真感光体。
【請求項５】
前記式（１）において、前記置換もしくは無置換のアリール基が、置換もしくは無置換のフェニル基であり、
該置換のフェニル基の置換基は、置換もしくは無置換のアルキル基、アルコキシ基、ジアルキルアミノ基、アルコキシカルボニル基、ハロゲン原子、ヒドロキシ基、ニトロ基、シアノ基、ホルミル基またはモルホリノ基である請求項２に記載の電子写真感光体。
【請求項６】
前記式（１）において、前記置換もしくは無置換の複素環基が、置換もしくは無置換のピリジル基であり、
該置換のピリジル基の置換基は、アルキル基、アルコキシ基、ジアルキルアミノ基、アルコキシカルボニル基、ハロゲン原子、ヒドロキシ基、ニトロ基、シアノ基、ホルミル基またはモルホリノ基である請求項２に記載の電子写真感光体。
【請求項７】
前記式（１）において、前記置換のフェニル基の置換基、および前記置換もしくは無置換のピリジル基の置換基が、ハロゲン原子、ヒドロキシ基、シアノ基、ニトロ基、ホルミル基、アルキル基またはアルコキシ基である請求項５または６に記載の電子写真感光体。
【請求項８】
前記式（１）において、前記Ｒ１とＲ２の少なくとも１つが、前記置換もしくは無置換のアルキル基である請求項２に記載の電子写真感光体。
【請求項９】
前記式（１）において、前記置換のアルキル基の置換基が、ハロゲン原子、ジアルキルアミノ基またはフェニル基である請求項８に記載の電子写真感光体。
【請求項１０】
前記式（１）において、前記Ｒ１、Ｒ２が、メチル基、または、エチル基である請求項８に記載の電子写真感光体。
【請求項１１】
前記フタロシアニン結晶が、ガリウムフタロシアニン結晶である請求項１〜１０のいずれか１項に記載の電子写真感光体。
【請求項１２】
前記ガリウムフタロシアニン結晶が、更に、Ｎ，Ｎ−ジメチルホルムアミドを結晶内に含有している請求項１１に記載の電子写真感光体。
【請求項１３】
前記ガリウムフタロシアニン結晶が、ヒドロキシガリウムフタロシアニン結晶である請求項１１または１２記載の電子写真感光体。
【請求項１４】
前記ヒドロキシガリウムフタロシアニン結晶が、ＣｕＫα線のＸ線回折におけるブラッグ角２θにおいて７．４°±０．３°および２８．３°±０．３°にピークを有するヒドロキシガリウムフタロシアニン結晶である請求項１３に記載の電子写真感光体。
【請求項１５】
前記フタロシアニン結晶内における式（１）で示される化合物の含有量が、０．１質量％以上３．０質量％以下である請求項１〜１４のいずれか１項に記載の電子写真感光体。
【請求項１６】
請求項１〜１５のいずれか１項に記載の電子写真感光体と、帯電手段、現像手段、転写手段、およびクリーニング手段からなる群より選ばれる少なくとも１つの手段とを一体に支持し、電子写真装置本体に着脱自在であることを特徴とするプロセスカートリッジ。
【請求項１７】
請求項１〜１５のいずれか１項に記載の電子写真感光体、ならびに、帯電手段、像露光手段、現像手段、および、転写手段を有する電子写真装置。
【請求項１８】
下記式（１）で示される化合物を結晶内に含有することを特徴とするフタロシアニン結晶。
【化２】
2014134773.tif 000002
（式（１）中、Ｒ１〜Ｒ４は、水素原子、ホルミル基、アルケニル基、置換もしくは無置換のアルキル基、置換もしくは無置換のアリール基、または、置換もしくは無置換の複素環基を示す。但し、Ｒ１とＲ２が共に水素原子となることはなく、
該置換のアルキル基の置換基は、アルコキシ基、モルホリノアルコキシ基、ジアルキルアミノ基、アルコキシカルボニル基、置換もしくは無置換のアリール基、アリールオキシ基、複素環基、ハロゲン原子、シアノ基、またはモルホリノ基であり、
該置換のアリール基の置換基は、置換もしくは無置換のアルキル基、アルコキシ基、ジアルキルアミノ基、アルコキシカルボニル基、ハロゲン原子、ヒドロキシ基、ニトロ基、シアノ基、ホルミル基、またはモルホリノ基であり、
該置換の複素環基の置換基は、アルキル基、アルコキシ基、ジアルキルアミノ基、アルコキシカルボニル基、ハロゲン原子、ヒドロキシ基、ニトロ基、シアノ基、ホルミル基、またはモルホリノ基である。）
【手続補正２】
【補正対象書類名】明細書
【補正対象項目名】００１４
【補正方法】変更
【補正の内容】
【００１４】
また、本発明は、下記式（１）で示される化合物を結晶内に含有することを特徴とするフタロシアニン結晶である。
【化２】
2014134773.tif 000003
（式（１）中、Ｒ１〜Ｒ４は、水素原子、ホルミル基、アルケニル基、置換もしくは無置換のアルキル基、置換もしくは無置換のアリール基、または、置換もしくは無置換の複素環基を示す。但し、Ｒ１とＲ２が共に水素原子となることはなく、
該置換のアルキル基の置換基は、アルコキシ基、モルホリノアルコキシ基、ジアルキルアミノ基、アルコキシカルボニル基、置換もしくは無置換のアリール基、アリールオキシ基、複素環基、ハロゲン原子、シアノ基、またはモルホリノ基であり、
該置換のアリール基の置換基は、置換もしくは無置換のアルキル基、アルコキシ基、ジアルキルアミノ基、アルコキシカルボニル基、ハロゲン原子、ヒドロキシ基、ニトロ基、シアノ基、ホルミル基、またはモルホリノ基であり、
該置換の複素環基の置換基は、アルキル基、アルコキシ基、ジアルキルアミノ基、アルコキシカルボニル基、ハロゲン原子、ヒドロキシ基、ニトロ基、シアノ基、ホルミル基、またはモルホリノ基である。）